【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
上部基板上に形成される共通電極を含む上部表示板と、
前記上部基板に対向する下部基板と、前記下部基板上に行列の形態で配列され、前記共通電極と向かい合う複数の画素とを含む下部表示板と、
前記画素の各々に含まれ、相互に離隔した第１及び第２の領域と、
前記第１及び前記第２の領域にそれぞれ形成される第１及び第２の副画素と、
前記第１の副画素に含まれ、前記上部表示板又は前記下部表示板に取り付けられた偏光子の偏光軸に対して第１の角度方向に配列され、前記第１の角度方向に実質的に垂直方向に離隔した複数の第１の微細ブランチを含む第１の副画素電極と、
前記第２の副画素に含まれ、前記偏光子の偏光軸に対して第２の角度方向に配列され、前記第２の角度方向は、実質的に２０°内で前記第１の角度方向と異なり、前記第２の角度方向に実質的に垂直方向に離隔した複数の第２の微細ブランチを含む第２の副画素電極と、
前記上部表示板と前記下部表示板間に介在する液晶層と
を有することを特徴とする液晶表示板アセンブリ。
【請求項２】
前記第２の副画素電極の面積と前記第１の副画素電極の面積の比は、実質的に１．５〜２の範囲内にあることを特徴とする請求項１に記載の液晶表示板アセンブリ。
【請求項３】
前記第２の副画素の面積は、前記第１の副画素の面積の実質的に１．７５倍であることを特徴とする請求項２に記載の液晶表示板アセンブリ。
【請求項４】
前記第１の角度は、前記第２の角度より小さいことを特徴とする請求項２に記載の液晶表示板アセンブリ。
【請求項５】
前記第１の角度は、実質的に４０°であり、前記第２の角度は、実質的に４５°であることを特徴とする請求項４に記載の液晶表示板アセンブリ。
【請求項６】
前記第１の角度及び前記第２の角度の各々は、実質的に３０°〜６０°の範囲内にあることを特徴とする請求項４に記載の液晶表示板アセンブリ。
【請求項７】
前記第１の副画素電極又は前記第２の副画素電極は、前記複数の微細ブランチを接続する微細ブランチ接続部を含み、前記微細ブランチ接続部は、前記第１の副画素電極又は前記第２の副画素電極の中央部又は外側部に形成されることを特徴とする請求項１に記載の液晶表示板アセンブリ。
【請求項８】
前記第１の副画素電極又は前記第２の副画素電極の中央部に形成される前記微細ブランチ接続部は、十字状であることを特徴とする請求項７に記載の液晶表示板アセンブリ。
【請求項９】
前記複数の第１の微細ブランチ又は前記複数の第２の微細ブランチは、前記十字状の微細ブランチ接続部に対して対称であることを特徴とする請求項８に記載の液晶表示板アセンブリ。
【請求項１０】
前記複数の第１の微細ブランチ又は前記複数の第２の微細ブランチは、前記十字状の微細ブランチ接続部を構成する直線の中のいずれか１つに対して非対称であることを特徴とする請求項８に記載の液晶表示板アセンブリ。
【請求項１１】
前記複数の第１の微細ブランチ又は前記複数の第２の微細ブランチの形状、幅、又は伸張方向は、相互に非対称であることを特徴とする請求項１０に記載の液晶表示板アセンブリ。
【請求項１２】
前記複数の第１の微細ブランチ又は前記複数の第２の微細ブランチは、前記十字状の微細ブランチ接続部に対して非対称であることを特徴とする請求項１０に記載の液晶表示板アセンブリ。
【請求項１３】
前記十字状の微細ブランチ接続部は、凹状又は凸状のノッチを含むことを特徴とする請求項１２に記載の液晶表示板アセンブリ。
【請求項１４】
前記第１の副画素電極又は前記第２の副画素電極の外側部に形成される前記微細ブランチ接続部は、実質的にストライプ状であることを特徴とする請求項７に記載の液晶表示板アセンブリ。
【請求項１５】
前記第１の副画素電極又は前記第２の副画素電極の外側部に形成される前記微細ブランチ接続部は、同一の方向に伸張し、不連続的に形成される２個以上のストライプ状を有することを特徴とする請求項１４に記載の液晶表示板アセンブリ。
【請求項１６】
前記複数の第１の微細ブランチ又は前記複数の第２の微細ブランチ間に位置し、前記複数の第１の微細ブランチ又は前記複数の第２の微細ブランチと交互に配置される複数の第１の微細スリット又は複数の第２の微細スリットをさらに有し、
前記ストライプ状の微細ブランチ接続部が不連続である部分は、前記複数の第１の微細スリット又は前記複数の第２の微細スリットが接続された第１又は第２の微細スリット接続部を含むことを特徴とする請求項１５に記載の液晶表示板アセンブリ。
【請求項１７】
前記第１の副画素電極及び前記第２の副画素電極の中の少なくともいずれか１つは、複数のドメインを含み、前記複数のドメインの中の少なくともいずれか１つは、前記複数の微細ブランチ又は前記複数の微細スリットの幅が第１の距離に対応する第１のサブドメインと、前記複数の微細ブランチ又は前記複数の微細スリットの幅が第２の距離に対応する第２のサブドメインと、前記第１のサブドメインと前記第２のサブドメイン間に位置し、前記複数の微細ブランチ又は前記複数の微細スリットの幅が位置によって徐々に変わる第３のサブドメインとを含むことを特徴とする請求項１６に記載の液晶表示板アセンブリ。
【請求項１８】
前記第３のサブドメインに含まれた前記複数の微細ブランチ又は前記複数の微細スリットは、実質的に０．１５μｍ〜０．５μｍの範囲内の値だけ徐々に広くなる幅を有することを特徴とする請求項１７に記載の液晶表示板アセンブリ。
【請求項１９】
前記複数の第１の微細ブランチ又は前記複数の第２の微細ブランチの幅は、前記第１のサブドメイン及び前記第２のサブドメインで一定であることを特徴とする請求項１８に記載の液晶表示板アセンブリ。
【請求項２０】
前記複数の第１の微細ブランチ及び前記複数の第２の微細ブランチの幅は、前記第１のサブドメイン及び前記第２のサブドメインで実質的に３μｍ〜４μｍの範囲内にあり、前記複数の第３の微細ブランチの幅は、前記第３のサブドメインで実質的に３μｍ〜４μｍの範囲内にあることを特徴とする請求項１９に記載の液晶表示板アセンブリ。
【請求項２１】
前記第１のサブドメインの面積は、前記第１の副画素電極又は前記第２の副画素電極の面積の実質的に５０％〜８０％の範囲内にあることを特徴とする請求項１９に記載の液晶表示板アセンブリ。
【請求項２２】
前記第２のサブドメイン及び前記第３のサブドメインの面積は、前記第１の副画素電極又は前記第２の副画素電極の面積の実質的に２０％〜５０％の範囲内にあることを特徴とする請求項２１に記載の液晶表示板アセンブリ。
【請求項２３】
前記第１のサブドメイン、前記第２のサブドメイン、及び前記第３のサブドメインの中の少なくともいずれか１つは、周期的に形成される複数の微細サブドメインを有することを特徴とする請求項１８に記載の液晶表示板アセンブリ。
【請求項２４】
導電性物質で作られる前記複数の第１の微細ブランチ間で前記導電性物質が除去される部分に位置し、前記複数の第１の微細ブランチに対して交互に配置される複数の第１の微細スリット又は前記導電性物質で作られる前記複数の第２の微細ブランチ間で前記導電性物質が除去される部分に位置し、前記複数の第２の微細ブランチに対して交互に配置される複数の第２の微細スリットをさらに有し、
前記複数の第１の微細ブランチ、前記複数の第２の微細ブランチ、前記複数の第１の微細スリット、及び前記複数の第２の微細スリットの幅は、実質的に１．５μｍ〜５μｍの範囲内にあることを特徴とする請求項１に記載の液晶表示板アセンブリ。
【請求項２５】
前記複数の第１の微細ブランチ、前記複数の第２の微細ブランチ、前記複数の第１の微細スリット、及び前記複数の第２の微細スリットの中の少なくとも１つは、ストライプ状、バット状、ジグザグ状、多重折りジグザグ状、波形状、エンタシス状、ペアエンタシス状、及び前記形状の組合せの中の少なくとも１つを有することを特徴とする請求項２４に記載の液晶表示板アセンブリ。
【請求項２６】
前記複数の第１の微細ブランチ、前記複数の第２の微細ブランチ、前記複数の第１の微細スリット、及び前記複数の第２の微細スリットの中の少なくとも１つは、反復的であり周期的な谷及び山を有するジグザグ状を有することを特徴とする請求項２５に記載の液晶表示板アセンブリ。
【請求項２７】
前記ジグザグ状の谷と山とを接続する単位長さは、実質的に３μｍ〜２５μｍの範囲内にあることを特徴とする請求項２６に記載の液晶表示板アセンブリ。
【請求項２８】
前記ジグザグ状の前記複数の微細ブランチ又は前記複数の微細スリットは、前記谷又は前記山を接続する線が伸張する方向に対応する主方向を有し、前記主方向は、前記偏光子の偏光軸に対して実質的に３０°〜６０°の範囲内にあることを特徴とする請求項２６に記載の液晶表示板アセンブリ。
【請求項２９】
前記ジグザグ状の単位長さが伸張する方向に対応するジグザグ角度は、前記主方向に対して実質的に±７°〜±２０°の範囲内にあることを特徴とする請求項２８に記載の液晶表示板アセンブリ。
【請求項３０】
隣接した複数の微細ブランチ又は複数の微細スリットのジグザグ角度は、実質的に０．５°〜５°の範囲内の値だけ異なることを特徴とする請求項２９に記載の液晶表示板アセンブリ。